【手続補正書】
【提出日】平成17年4月21日(2005.4.21)
【手続補正１】
【補正対象書類名】明細書
【補正対象項目名】発明の名称
【補正方法】変更
【補正の内容】
【発明の名称】電子機器及び制御プログラム
【手続補正２】
【補正対象書類名】明細書
【補正対象項目名】特許請求の範囲
【補正方法】変更
【補正の内容】
【特許請求の範囲】
【請求項１】
内部時計と、外部から基準時刻を受信する受信手段と、設定時刻を記憶する記憶手段と、前記内部時計を参照し、前記設定時刻に所定の処理を実行する実行手段と、前記受信手段によって基準時刻が受信されたとき、前記内部時計が示す内部時刻が前記設定時刻を経過しておらず、かつ、前記設定時刻と前記内部時刻との時間差が予め設定されたしきい値範囲内にあり、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う制御手段とを具備することを特徴とする電子機器。
【請求項２】
内部時計と、外部から基準時刻を受信する受信手段と、設定時刻を記憶する記憶手段と、前記内部時計を参照し、前記設定時刻に所定の処理を実行する実行手段と、第１の実行モードと第２の実行モードのいずれか１の実行モードを選択する選択手段と、前記選択手段によって第１の実行モードが選択された状態において前記受信手段によって基準時刻が受信されたとき、前記内部時計が示す内部時刻が前記設定時刻を経過しておらず、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う一方、前記選択手段によって第２の実行モードが選択された状態において前記受信手段によって基準時刻が受信されたとき、前記内部時計が示す内部時刻が前記設定時刻を経過しておらず、かつ、前記設定時刻と前記内部時刻との時間差が予め設定されたしきい値範囲内にあり、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う制御手段とを具備することを特徴とする電子機器。
【請求項３】
内部時計と、外部から基準時刻を受信する受信手段と、設定時刻を記憶する記憶手段と、前記内部時計を参照し、前記設定時刻に所定の処理を実行する実行手段と、前記受信手段によって基準時刻が受信されたとき、前記内部時計が示す内部時刻が前記設定時刻を経過しておらず、かつ、前記設定時刻と前記内部時刻との時間差が予め設定された第１のしきい値範囲内にあり、かつ、前記基準時刻が前記設定時刻を経過しており、かつ、前記設定時刻と前記基準時刻との時間差が予め設定された第２のしきい値範囲内にある場合、前記基準時刻と前記内部時刻との時間差を求めて前記内部時刻の修正を行うと共に、前記実行手段に所定の処理を実行させるための制御を行う制御手段とを具備することを特徴とする電子機器。
【請求項４】
内部時計と、外部から基準時刻を受信する受信手段と、設定時刻を記憶する記憶手段と、前記内部時計を参照し、前記設定時刻に所定の処理を実行する実行手段と、第１の実行モードと第２の実行モードのいずれか１の実行モードを選択する選択手段と、前記選択手段によって第１の実行モードが選択された状態において前記受信手段によって基準時刻が受信されたとき、前記内部時計が示す内部時刻が前記設定時刻を経過しておらず、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う一方、前記選択手段によって第２の実行モードが選択された状態において前記受信手段によって基準時刻が受信されたとき、前記内部時計が示す内部時刻が前記設定時刻を経過しておらず、かつ、前記設定時刻と前記内部時刻との時間差が予め設定された第１のしきい値範囲内にあり、かつ、前記基準時刻が前記設定時刻を経過しており、かつ、前記設定時刻と前記基準時刻との時間差が予め設定された第２のしきい値範囲内にある場合、前記基準時刻と前記内部時刻との時間差を求めて前記内部時刻の修正を行うと共に、前記実行手段に所定の処理を実行させるための制御を行う制御手段とを具備することを特徴とする電子機器。
【請求項５】
内部時計と、外部から基準時刻を受信する受信手段と、設定時刻を記憶する記憶手段と、前記内部時計を参照し、前記設定時刻に所定の処理を実行する実行手段と、前記受信手段によって基準時刻が受信されたとき、前記内部時計が示す内部時刻が前記設定時刻を経過しており、かつ、前記設定時刻と前記内部時刻との時間差が予め設定されたしきい値範囲内にあり、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項６】
内部時計と、外部から基準時刻を受信する受信手段と、設定時刻を記憶する記憶手段と、前記内部時計を参照し、前記設定時刻に所定の処理を実行する実行手段と、第１の実行モードと第２の実行モードのいずれか１の実行モードを選択する選択手段と、前記選択手段によって第１の実行モードが選択された状態において前記受信手段によって基準時刻が受信されたとき、前記内部時計が示す内部時刻が前記設定時刻を経過しており、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う一方、前記選択手段によって第２の実行モードが選択された状態において前記受信手段によって基準時刻が受信されたとき、前記内部時計が示す内部時刻が前記設定時刻を経過しており、かつ、前記設定時刻と前記内部時刻との時間差が予め設定されたしきい値範囲内にあり、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項７】
内部時計と、外部から基準時刻を受信する受信手段と、設定時刻を記憶する記憶手段と、前記内部時計を参照し、前記設定時刻に所定の処理を実行する実行手段と、前記受信手段によって基準時刻が受信されたとき、前記内部時計が示す内部時刻が前記設定時刻を経過しており、かつ、前記設定時刻と前記内部時刻との時間差が予め設定された第１のしきい値範囲内にあり、かつ、前記基準時刻が前記設定時刻を経過しておらず、かつ、前記設定時刻と前記基準時刻との時間差が予め設定された第２のしきい値範囲内にある場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項８】
内部時計と、外部から基準時刻を受信する受信手段と、設定時刻を記憶する記憶手段と、前記内部時計を参照し、前記設定時刻に所定の処理を実行する実行手段と、第１の実行モードと第２の実行モードのいずれか１の実行モードを選択する選択手段と、前記選択手段によって第１の実行モードが選択された状態において前記受信手段によって基準時刻が受信されたとき、前記内部時計が示す内部時刻が前記設定時刻を経過しており、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う一方、前記選択手段によって第２の実行モードが選択された状態において前記受信手段によって基準時刻が受信されたとき、前記内部時計が示す内部時刻が前記設定時刻を経過しており、かつ、前記設定時刻と前記内部時刻との時間差が予め設定された第１のしきい値範囲内にあり、かつ、前記基準時刻が前記設定時刻を経過しておらず、かつ、前記設定時刻と前記基準時刻との時間差が予め設定された第２のしきい値範囲内にある場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項９】
内部時計と、外部から基準時刻を受信する受信手段と、設定時刻を記憶する記憶手段と、前記内部時計を参照し、前記設定時刻に所定の処理を実行する実行手段と、前記受信手段によって基準時刻が受信されたとき、前記内部時計が示す内部時刻が前記設定時刻を経過しておらず、かつ、前記設定時刻と前記内部時刻との時間差が予め設定された第１のしきい値範囲内にあり、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う一方、前記受信手段によって基準時刻が受信されたとき、前記内部時計が示す内部時刻が前記設定時刻を経過しており、かつ、前記設定時刻と前記内部時刻との時間差が予め設定された第２のしきい値範囲内にあり、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項１０】
内部時計と、外部から基準時刻を受信する受信手段と、設定時刻を記憶する記憶手段と、前記内部時計を参照し、前記設定時刻に所定の処理を実行する実行手段と、第１の実行モードと第２の実行モードのいずれか１の実行モードを選択する選択手段と、前記選択手段によって第１の実行モードが選択された状態において前記受信手段によって基準時刻が受信されたとき、前記内部時計が示す内部時刻が前記設定時刻を経過しておらず、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う一方、前記内部時計が示す内部時刻が前記設定時刻を経過しており、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行い、前記選択手段によって第２の実行モードが選択された状態において前記受信手段によって基準時刻が受信されたとき、前記内部時計が示す内部時刻が前記設定時刻を経過しておらず、かつ、前記設定時刻と前記内部時刻との時間差が予め設定された第１のしきい値範囲内にあり、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う一方、前記内部時計が示す内部時刻が前記設定時刻を経過しており、かつ、前記設定時刻と前記内部時刻との時間差が予め設定された第２のしきい値範囲内にあり、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項１１】
内部時計と、外部から基準時刻を受信する受信手段と、設定時刻を記憶する記憶手段と、前記内部時計を参照し、前記設定時刻に所定の処理を実行する実行手段と、前記受信手段によって基準時刻が受信されたとき、前記内部時計が示す内部時刻が前記設定時刻を経過しておらず、かつ、前記設定時刻と前記内部時刻との時間差が予め設定された第１のしきい値範囲内にあり、かつ、前記基準時刻が前記設定時刻を経過しており、かつ、前記設定時刻と前記基準時刻との時間差が予め設定された第２のしきい値範囲内にある場合、前記基準時刻と前記内部時刻との時間差を求めて前記内部時刻の修正を行うと共に、前記実行手段に所定の処理を実行させるための制御を行う一方、前記受信手段によって基準時刻が受信されたとき、前記内部時計が示す内部時刻が前記設定時刻を経過しており、かつ、前記設定時刻と前記内部時刻との時間差が予め設定された第３のしきい値範囲内にあり、かつ、前記基準時刻が前記設定時刻を経過しておらず、かつ、前記設定時刻と前記基準時刻との時間差が予め設定された第４のしきい値範囲内にある場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項１２】
内部時計と、外部から基準時刻を受信する受信手段と、設定時刻を記憶する記憶手段と、前記内部時計を参照し、前記設定時刻に所定の処理を実行する実行手段と、第１の実行モードと第２の実行モードのいずれか１の実行モードを選択する選択手段と、前記選択手段によって第１の実行モードが選択された状態において前記受信手段によって基準時刻が受信されたとき、前記内部時計が示す内部時刻が前記設定時刻を経過しておらず、かつ、前記基準時刻が前記設定時刻を経過している場合、前記基準時刻と前記内部時刻との時間差を求めて前記内部時刻の修正を行うと共に、前記実行手段に所定の処理を実行させるための制御を行う一方、前記内部時計が示す内部時刻が前記設定時刻を経過しており、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行い、前記選択手段によって第２の実行モードが選択された状態において前記受信手段によって基準時刻が受信されたとき、前記内部時計が示す内部時刻が前記設定時刻を経過しておらず、かつ、前記設定時刻と前記内部時刻との時間差が予め設定された第１のしきい値範囲内にあり、かつ、前記基準時刻が前記設定時刻を経過しており、かつ、前記設定時刻と前記基準時刻との時間差が予め設定された第２のしきい値範囲内にある場合、前記基準時刻と前記内部時刻との時間差を求めて前記内部時刻の修正を行うと共に、前記実行手段に所定の処理を実行させるための制御を行う一方、前記受信手段によって基準時刻が受信されたとき、前記内部時計が示す内部時刻が前記設定時刻を経過しており、かつ、前記設定時刻と前記内部時刻との時間差が予め設定された第３のしきい値範囲内にあり、かつ、前記基準時刻が前記設定時刻を経過しておらず、かつ、前記設定時刻と前記基準時刻との時間差が予め設定された第４のしきい値範囲内にある場合、前記基準時刻と前記内部時刻との時間差を求めて前記内部時刻の修正を行うと共に、前記修正した内部時刻が前記設定時刻に到達した場合に前記実行手段に所定の処理を実行させないための制御を行う制御手段とを具備することを特徴とする電子機器。
【請求項１３】
前記実行手段は、前記設定時刻に当該時刻の到来を報知する報知手段であることを特徴とする請求項１〜１２のいずれか１の請求項に記載の電子機器。
【請求項１４】
前記実行手段は、前記設定時刻に外部と通信を行う通信実行手段であることを特徴とする請求項１〜１２のいずれか１の請求項に記載の電子機器。
【請求項１５】
内部時計と外部から基準時刻を受信する受信手段とを備えたコンピュータに、前記受信手段によって基準時刻が受信されたとき、前記内部時計が示す内部時刻が設定時刻を経過しておらず、かつ、前記設定時刻と前記内部時刻との時間差が予め設定されたしきい値範囲内にあり、かつ、前記基準時刻が前記設定時刻を経過している場合、前記基準時刻と前記内部時刻との時間差を求めて前記内部時刻の修正を行うと共に、前記内部時刻を参照して前記設定時刻に所定の処理を実行する実行手段に前記所定の処理を実行させるための制御を行う制御機能を実現させるための制御プログラム。
【請求項１６】
内部時計と外部から基準時刻を受信する受信手段とを備えたコンピュータに、前記受信手段によって基準時刻が受信されたとき、前記内部時計が示す内部時刻が設定時刻を経過しており、かつ、前記設定時刻と前記内部時刻との時間差が予め設定されたしきい値範囲内にあり、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記内部時刻を参照して前記設定時刻に所定の処理を実行する実行手段に前記所定の処理を実行させないための制御を行う制御機能を実現させるための制御プログラム。
【手続補正３】
【補正対象書類名】明細書
【補正対象項目名】０００１
【補正方法】変更
【補正の内容】
【０００１】
【発明の属する技術分野】
本発明は、電子機器及び制御プログラムに関する。
【手続補正４】
【補正対象書類名】明細書
【補正対象項目名】０００３
【補正方法】変更
【補正の内容】
【０００３】
【発明が解決しようとする課題】
ところで、上述したアラーム機能付電波時計は、内部時刻が予め設定したアラーム時刻に到達した場合にアラーム音を鳴らすか、若しくは内部時刻がアラーム時刻に到達していない場合であっても受信した基準時刻がアラーム時刻を経過している場合にアラーム音を鳴らす構成を有している。
従って、該アラーム機能付電波時計は、内部時刻、アラーム時刻がそれぞれ１０：００、１２：００にセットされた状態において、例えばタイムゾーンを越えた先（例えば５時間の時差がある外国等）で基準時刻を受信した場合にも、アラーム音を鳴らしてしまう。すなわち、予め設定したアラーム時刻が無意味な状況下においてもアラーム音は鳴ってしまい、該アラーム機能付電波時計を所有するユーザは煩わしい思いをしていた。
本発明は、以上説明した事情を鑑みてなされたものであり、アラーム時刻が到来し、かつ、所定条件を満たした場合にのみアラーム時刻の到来を報知する電子機器及び制御プログラムを提供することを目的とする。
【手続補正５】
【補正対象書類名】明細書
【補正対象項目名】００１９
【補正方法】変更
【補正の内容】
【００１９】
また、請求項１３に記載の前記報知手段は、音、振動、文字、画像の少なくともいずれか１により当該時刻の到来を報知することを特徴とする。
【手続補正６】
【補正対象書類名】明細書
【補正対象項目名】００２０
【補正方法】変更
【補正の内容】
【００２０】
また、請求項１４に記載の電子機器は、請求項１〜１２のいずれか１の請求項に記載の構成において、前記実行手段は、前記設定時刻に外部と通信を行う通信実行手段であることを特徴とする。
【手続補正７】
【補正対象書類名】明細書
【補正対象項目名】００２１
【補正方法】変更
【補正の内容】
【００２１】
また、請求項１５に記載の制御プログラムは、内部時計と外部から基準時刻を受信する受信手段とを備えたコンピュータに、前記受信手段によって基準時刻が受信されたとき、前記内部時計が示す内部時刻が設定時刻を経過しておらず、かつ、前記設定時刻と前記内部時刻との時間差が予め設定されたしきい値範囲内にあり、かつ、前記基準時刻が前記設定時刻を経過している場合、前記基準時刻と前記内部時刻との時間差を求めて前記内部時刻の修正を行うと共に、前記内部時刻を参照して前記設定時刻に所定の処理を実行する実行手段に前記所定の処理を実行させるための制御を行う制御機能を実現させることを特徴とする。
【手続補正８】
【補正対象書類名】明細書
【補正対象項目名】００２２
【補正方法】変更
【補正の内容】
【００２２】
また、請求項１６に記載の制御プログラムは、内部時計と外部から基準時刻を受信する受信手段とを備えたコンピュータに、前記受信手段によって基準時刻が受信されたとき、前記内部時計が示す内部時刻が設定時刻を経過しており、かつ、前記設定時刻と前記内部時刻との時間差が予め設定されたしきい値範囲内にあり、かつ、前記基準時刻が前記設定時刻を経過していない場合、前記基準時刻と前記内部時刻との時間差を求めて前記内部時刻の修正を行うと共に、前記修正した内部時刻が前記設定時刻に到達した場合に前記内部時刻を参照して前記設定時刻に所定の処理を実行する実行手段に前記所定の処理を実行させないための制御を行う制御機能を実現させることを特徴とする。
【手続補正９】
【補正対象書類名】明細書
【補正対象項目名】００２３
【補正方法】変更
【補正の内容】
【００２３】
また、コンピュータ読み取り可能な記録媒体は、請求項１５または１６に記載の制御プログラムを記録したことを特徴とする。